(57)【要約】【課題】コンピュータに特別なソフトウェアをインストールすることなく、ＲＡＷ画像のみを記録した撮像装置からＪＰＥＧ画像を得られるようにする。【解決手段】外部制御機器と接続可能な撮像装置であって、被写体を撮像する撮像部と、撮像部により生成されたＲＡＷ画像ファイルを記録媒体に記録する記録部と、ＲＡＷ画像ファイルを記録媒体から読み出して現像し、ＪＰＥＧ画像ファイルを生成する現像部と、記録媒体に記録されたＲＡＷ画像ファイルに対応するＪＰＥＧ画像ファイルのファイル名を外部制御機器に送信する送信部と、外部制御機器から、送信部により送信したファイル名に対応するＪＰＥＧ画像ファイルの送信を要求された場合に、ファイル名に対応するＲＡＷ画像ファイルを現像してＪＰＥＧ画像ファイルを生成し、生成されたＪＰＥＧ画像ファイルを外部制御機器に送信するように現像部を制御する制御部とを備える。【選択図】図１５
2009260744.tif 000002
【特許請求の範囲】
【請求項１】
外部制御機器と接続可能な撮像装置であって、
被写体を撮像する撮像手段と、
前記撮像手段により生成されたＲＡＷ画像ファイルを記録媒体に記録する記録手段と、
前記ＲＡＷ画像ファイルを前記記録媒体から読み出して現像し、ＪＰＥＧ画像ファイルを生成する現像手段と、
前記記録媒体に記録されたＲＡＷ画像ファイルに対応するＪＰＥＧ画像ファイルのファイル名を前記外部制御機器に送信する送信手段と、
前記外部制御機器から、前記送信手段により送信した前記ファイル名に対応するＪＰＥＧ画像ファイルの送信を要求された場合に、前記ファイル名に対応するＲＡＷ画像ファイルを現像してＪＰＥＧ画像ファイルを生成し、該生成されたＪＰＥＧ画像ファイルを前記外部制御機器に送信するように前記現像手段を制御する制御手段と、
を備えることを特徴とする撮像装置。
【請求項２】
前記制御手段は、前記送信手段により送信した前記ファイル名に対応するＪＰＥＧ画像ファイルのサムネイルを前記外部制御機器に送信する場合に、前記ＪＰＥＧ画像ファイルに対応するＲＡＷ画像ファイルからサムネイルを読み出して、該ＲＡＷ画像ファイルから読み出したサムネイルを前記ＪＰＥＧ画像のサムネイルとして前記外部制御機器に送信することを特徴とする請求項１に記載の撮像装置。
【請求項３】
外部制御機器と接続可能であり、被写体を撮像する撮像手段と、該撮像手段により生成されたＲＡＷ画像ファイルを記録媒体に記録する記録手段と、を備える撮像装置を制御する方法であって、
前記ＲＡＷ画像ファイルを前記記録媒体から読み出して現像し、ＪＰＥＧ画像ファイルを生成する現像工程と、
前記記録媒体に記録されたＲＡＷ画像ファイルに対応するＪＰＥＧ画像ファイルのファイル名を前記外部制御機器に送信する送信工程と、
前記外部制御機器から、前記送信工程において送信した前記ファイル名に対応するＪＰＥＧ画像ファイルの送信を要求された場合に、前記ファイル名に対応するＲＡＷ画像ファイルを現像してＪＰＥＧ画像ファイルを生成し、該生成されたＪＰＥＧ画像ファイルを前記外部制御機器に送信するように前記現像工程を制御する制御工程と、
を備えることを特徴とする撮像装置の制御方法。
【請求項４】
請求項３に記載の制御方法をコンピュータに実行させるためのプログラム。
【発明の詳細な説明】
【技術分野】
【０００１】
本発明は、記録媒体内に実在しない仮想ファイルをＰＣ（パーソナルコンピュータ）に転送可能とする撮像装置及びその制御方法に関するものである。
【背景技術】
【０００２】
静止画像、動画像等を記録媒体にデジタル記録する撮像装置、例えばデジタルスチルカメラ、デジタルビデオカメラ等では、着脱可能な記録媒体を用いるのが一般的である。着脱可能な記録媒体としては、ＣＦ（コンパクトフラッシュ（登録商標））カードやＳＤカード等の小型メモリが用いられる。
【０００３】
このようなデジタルカメラで撮影したファイルデータを、コンピュータに転送する方法としては、次のようなものがある。１つは、ＵＳＢ（Universal Serial Bus）やＩＥＥＥ１３９４に代表される所定形式のケーブルでデジタルカメラとコンピュータを接続し、画像データを転送する方式（特許文献１参照）である。またもう１つは、記録媒体をカメラ本体から取り外してコンピュータに接続し、コンピュータの外部記録装置として扱って記録情報をコンピュータに取り込む方式である。
【０００４】
デジタルカメラとコンピュータとを接続してデジタルカメラ内のファイルを取り込む方式においては、ＰＴＰ（Picture Transfer Protocol）やマスストレージなどの規格が用いられる。一般的なコンピュータのＯＳ（オペレーションシステム）はこれらの規格に対応しており、ＰＴＰやマスストレージでファイルを送受信するための標準的なアプリケーションを搭載したコンピュータが広く流通している。従って、デジタルカメラがこれらの規格に対応することによってファイルの転送を行うことが可能である。即ち、これらの方式に対応すればユーザはコンピュータに特別なアプリケーションやドライバのインストールをすることなくデジタルカメラ内のファイルを取得することが可能である。
【０００５】
一方、最近のデジタルカメラは多画素化や高機能化が進み、使用する記録媒体に要求される記憶容量は劇的に増加する傾向にある。多くの記憶容量を必要とする代表的な機能としては、ＲＡＷ画像とＪＰＥＧ画像を同時に記録する機能や、１回の撮影で複数の現像パラメータで現像したＪＰＥＧ画像を記録するブラケット機能などが挙げられる。
【特許文献１】特登録０３１９０６５１号公報
【特許文献２】特開２００６−１４８４３６号公報
【発明の開示】
【発明が解決しようとする課題】
【０００６】
ところで、上記のようなデジタルカメラとコンピュータとを接続してデジタルカメラ内のファイルをコンピュータに取り込む方式においては、記録媒体内に存在するファイルを取得することが前提である。そのため、前述のＲＡＷ画像およびＪＰＥＧ画像の同時記録機能やブラケット機能などを利用する場合、通常記録媒体内にファイルを生成することが必要である。そのため、上記のような同時記録機能やブラケット機能などを利用すると、記録媒体に記録する画像数が増大し、記録媒体の記録領域の消費量が増大するため、撮影可能枚数が減少するというデメリットが存在する。
【０００７】
一方、従来よりコンピュータ上でＲＡＷ画像から演算によってＪＰＥＧ画像を生成するアプリケーションが存在しており、デジタルカメラの機能を使用せずとも、コンピュータ上でＪＰＥＧ画像を生成することが可能である。そのため、デジタルカメラ側ではＲＡＷ画像のみを記録し、そのＲＡＷ画像をコンピュータに移してコンピュータ側でＪＰＥＧ画像を生成するようにすれば、デジタルカメラ側での記録媒体の容量消費を削減し、撮影可能枚数を増加させることが可能である。
【０００８】
しかしながら、デジタルカメラ内でＲＡＷ画像からＪＰＥＧ画像を生成する現像処理の時間に比較して、コンピュータ上での現像処理には数秒から数十秒を要し、処理時間が増大するというデメリットが存在する。そのため、デジタルカメラ側ではＲＡＷ画像しか記録せず、コンピュータ側でＪＰＥＧ画像を生成する方法では、ユーザの利便性が損なわれることになり、記録媒体の容量削減のための十分な対策にはなりにくい。
【０００９】
この問題を解決するために、特許文献２には、コンピュータからデジタルカメラの画像処理エンジンを使用して高速にＲＡＷ画像を現像し、ＪＰＥＧ画像を取得する技術が開示されている。
【００１０】
しかしながら、コンピュータからデジタルカメラ内の画像処理エンジンを使用する場合は、コンピュータ側にアプリケーションやドライバのインストールが必要である上に、インストール済みのコンピュータからしか操作することができないという問題がある。
【００１１】
したがって、本発明は上述した課題に鑑みてなされたものであり、その目的は、コンピュータに特別なソフトウェアをインストールすることなく、ＲＡＷ画像のみを記録した撮像装置からＪＰＥＧ画像を得られるようにすることである。
【課題を解決するための手段】
【００１２】
上述した課題を解決し、目的を達成するために、本発明に係わる撮像装置は、外部制御機器と接続可能な撮像装置であって、被写体を撮像する撮像手段と、前記撮像手段により生成されたＲＡＷ画像ファイルを記録媒体に記録する記録手段と、前記ＲＡＷ画像ファイルを前記記録媒体から読み出して現像し、ＪＰＥＧ画像ファイルを生成する現像手段と、前記記録媒体に記録されたＲＡＷ画像ファイルに対応するＪＰＥＧ画像ファイルのファイル名を前記外部制御機器に送信する送信手段と、前記外部制御機器から、前記送信手段により送信した前記ファイル名に対応するＪＰＥＧ画像ファイルの送信を要求された場合に、前記ファイル名に対応するＲＡＷ画像ファイルを現像してＪＰＥＧ画像ファイルを生成し、該生成されたＪＰＥＧ画像ファイルを前記外部制御機器に送信するように前記現像手段を制御する制御手段と、を備えることを特徴とする。
【００１３】
また、本発明に係わる撮像装置の制御方法は、外部制御機器と接続可能であり、被写体を撮像する撮像手段と、該撮像手段により生成されたＲＡＷ画像ファイルを記録媒体に記録する記録手段と、を備える撮像装置を制御する方法であって、前記ＲＡＷ画像ファイルを前記記録媒体から読み出して現像し、ＪＰＥＧ画像ファイルを生成する現像工程と、
前記記録媒体に記録されたＲＡＷ画像ファイルに対応するＪＰＥＧ画像ファイルのファイル名を前記外部制御機器に送信する送信工程と、前記外部制御機器から、前記送信工程において送信した前記ファイル名に対応するＪＰＥＧ画像ファイルの送信を要求された場合に、前記ファイル名に対応するＲＡＷ画像ファイルを現像してＪＰＥＧ画像ファイルを生成し、該生成されたＪＰＥＧ画像ファイルを前記外部制御機器に送信するように前記現像工程を制御する制御工程と、を備えることを特徴とする。
【発明の効果】
【００１４】
本発明によれば、コンピュータに特別なソフトウェアをインストールすることなく、ＲＡＷ画像のみを記録したカメラからＪＰＥＧ画像を得ることが可能となる。
【発明を実施するための最良の形態】
【００１５】
以下、本発明の好適な一実施形態について、図面を参照して詳細に説明する。
【００１６】
図１は、本発明の一実施形態に係わる撮像装置の構成を示すブロック図である。
【００１７】
図１において、１００は撮像装置である。撮像装置１００は、デジタルスチルカメラ、デジタルビデオカメラ、カメラ付き携帯端末（カメラ付き携帯電話を含む）等、撮像機能を有しファイル転送可能な装置であれば何れであってもよい。本実施形態では、撮像装置１００がデジタルスチルカメラである場合について説明する。なお、撮像装置１００は、ＰＣ（パーソナルコンピュータ）等の外部制御機器と接続可能であり、内部の画像ファイルを外部制御機器に送信することが可能である。
【００１８】
１０は撮影レンズ、１２は絞り機能を備えるシャッター、１４は光学像を電気信号に変換して、被写体を撮像する撮像素子、１６は撮像素子１４のアナログ出力信号をデジタル信号に変換するＡ／Ｄ変換器である。
【００１９】
１８は撮像素子１４、 Ａ／Ｄ変換器１６、 Ｄ／Ａ変換器２６にクロック信号や制御信号を供給するタイミング発生回路であり、メモリ制御回路２２及びシステム制御回路５０により制御される。
【００２０】
２０は画像処理回路であり、 Ａ／Ｄ変換器１６からのデータ或いはメモリ制御回路２２からのデータに対して所定の画素補間処理や色変換処理を行う。また、画像処理回路２０においては、撮像した画像データを用いて所定の演算処理を行い、得られた演算結果に基づいてシステム制御回路５０が露光制御部４０、測距制御部４２に対して制御を行う。具体的には、ＴＴＬ（スルー・ザ・レンズ）方式のＡＦ（オートフォーカス）処理、ＡＥ（自動露出）処理、ＥＦ（フラッシュプリ発光）処理を行う。さらに、画像処理回路２０においては、撮像した画像データを用いて所定の演算処理を行い、得られた演算結果に基づいてＴＴＬ方式のＡＷＢ（オートホワイトバランス）処理も行っている。
【００２１】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２２】
２４は画像表示メモリ、２６はＤ／Ａ変換器、２８はＴＦＴ ＬＣＤ等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダー機能を実現することが可能である。また、画像表示部２８は、システム制御回路５０の指示により任意に表示をＯＮ／ＯＦＦすることが可能であり、表示をＯＦＦにした場合には撮像装置１００の電力消費を大幅に低減することが出来る。
【００２３】
３０は撮影した静止画像や動画像を格納するためのメモリであり、所定枚数の静止画像や所定時間の動画像を格納するのに十分な記憶容量を備えている。これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。
【００２４】
３２は適応離散コサイン変換（ＡＤＣＴ）等により画像データを圧縮／伸長する圧縮・伸長回路であり、メモリ３０に格納された画像を読み込んで圧縮処理或いは伸長処理を行い、処理を終えたデータをメモリ３０に書き込む。
【００２５】
４０は絞り機能を備えるシャッター１２を制御する露光制御部であり、フラッシュ４８と連携することによりフラッシュ調光機能も有するものである。
【００２６】
４２は撮影レンズ１０のフォーカシングを制御する測距制御部、４４は撮影レンズ１０のズーミングを制御するズーム制御部、４６はバリアである保護装置１０２の動作を制御するバリア制御部である。
【００２７】
４８はフラッシュであり、ＡＦ補助光の投光機能、フラッシュ調光機能も有する。露光制御部４０、測距制御部４２はＴＴＬ方式を用いて制御されている。つまり、撮像した画像データを画像処理回路２０によって演算した演算結果に基づき、システム制御回路５０が露光制御部４０、測距制御部４２に対して制御を行う。
【００２８】
５０は撮像装置１００全体を制御するシステム制御回路、５２はシステム制御回路５０の動作用の定数、変数、プログラム等を記憶するメモリである。
【００２９】
５４はシステム制御回路５０でのプログラムの実行に応じて、文字、画像、音声等を用いて動作状態やメッセージ等を表示する液晶表示装置、スピーカー等の表示部である。この表示部は、撮像装置１００の操作部近辺の視認し易い位置に単数或いは複数個所設置され、例えばＬＣＤやＬＥＤ、発音素子等の組み合わせにより構成されている。また、表示部５４は、その一部の機能が光学ファインダー１０４内に設置されている。
【００３０】
表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示等がある。また、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示、等もある。
【００３１】
また、表示部５４の表示内容のうち、光学ファインダー１０４内に表示するものとしては、合焦表示、手振れ警告表示、フラッシュ充電表示、シャッタースピード表示、絞り値表示、露出補正表示、等がある。
【００３２】
５６は電気的に消去・記録可能な不揮発性メモリであり、例えばＥＥＰＲＯＭ等が用いられる。
【００３３】
６０、６２、６４、７０は、システム制御回路５０の各種の動作指示を入力するための操作部であり、スイッチやダイアル、タッチパネル、視線検知によるポインティング、音声認識装置等の単数或いは複数の組み合わせで構成される。
【００３４】
ここで、操作部の具体的な説明を行う。
【００３５】
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することが出来る。
【００３６】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００３７】
６４はシャッタースイッチＳＷ２で、不図示のシャッターボタンの操作完了でＯＮとなり、撮像素子１２から読み出した信号をＡ／Ｄ変換器１６、メモリ制御回路２２を介してメモリ３０に書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００３８】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン等がある。また、メニュー移動＋（プラス）ボタン、メニュー移動−（マイナス）ボタン、再生画像移動＋（プラス）ボタン、再生画像移動−（マイナス）ボタン、撮影画質選択ボタン、露出補正ボタン、日付／時間設定ボタン等もある。
【００３９】
６６はストレージ機能制御部で、インタフェース９０及び９４や通信部１１０によって接続されるＰＣ等の外部制御機器とのファイル及びディレクトリの入出力通信データの制御を行う。
【００４０】
６８は仮想ファイル制御部で、インタフェース９０及び９４や通信部１１０によって接続されるＰＣ等の外部制御機器との仮想ファイルデータの通信の制御を行う。
【００４１】
８０は電源制御部で、電池検出回路、ＤＣ−ＤＣコンバータ、通電するブロックを切り替えるスイッチ回路等により構成されている。そして、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００４２】
８２はコネクタ、８４はコネクタ、８６はアルカリ電池やリチウム電池等の一次電池やＮｉＣｄ電池、ＮｉＭＨ電池、Ｌｉイオン電池等の二次電池、ＡＣアダプター等からなる電源部である。
【００４３】
９０及び９４はメモリカードやハードディスク等の記録媒体とのインタフェース、９２及び９６はメモリカードやハードディスク等の記録媒体と接続を行うコネクタである。９８はコネクタ９２及び／或いは９６に記録媒体２００或いは２１０が装着されているか否かを検知する記録媒体着脱検知部である。
【００４４】
なお、本実施形態では記録媒体を取り付けるインターフェース及びコネクタを２系統持つものとして説明している。もちろん、記録媒体を取り付けるインターフェース及びコネクタは、単数或いは複数、いずれの系統数を備える構成としても構わないし、着脱可能な記録媒体でなくとも良い。また、異なる規格のインターフェース及びコネクタを組み合わせて備える構成としても構わない。インターフェース及びコネクタとしては、ＰＣＭＣＩＡカードやＣＦ（コンパクトフラッシュ（登録商標））カード等の規格に準拠したものを用いて構成して構わない。
【００４５】
さらに、インタフェース９０及び９４、そしてコネクタ９２及び９６をＰＣＭＣＩＡカードやＣＦ（コンパクトフラッシュ（登録商標））カード等の規格に準拠したものを用いて構成した場合、次のような動作が可能となる。即ち、ＬＡＮカード、モデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００４６】
１０２は、撮像装置１００のレンズ１０を含む撮像部を覆うことにより、撮像部の汚れや破損を防止するバリアである保護装置である。
【００４７】
１０４は光学ファインダーであり、画像表示部２８による電子ファインダー機能を使用すること無しに、光学ファインダーのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００４８】
１１０は通信部であり、ＲＳ２３２ＣやＵＳＢ、ＩＥＥＥ１３９４、Ｐ１２８４、ＳＣＳＩ、モデム、ＬＡＮ、無線通信、等の各種通信手段により、他のコンピュータやプリンタ等の外部機器との間で画像データや画像データに付属した管理情報を転送し合うことができる。
【００４９】
１１２は通信部１１０により撮像装置１００を他の外部機器と接続するコネクタ或いは無線通信の場合はアンテナである。
【００５０】
２００はメモリカードやハードディスク等の記録媒体である。記録媒体２００は、半導体メモリや磁気ディスク等から構成される記録部２０２、撮像装置１００とのインタフェース２０４、撮像装置１００と接続を行うコネクタ２０６を備えている。
【００５１】
２１０はメモリカードやハードディスク等の記録媒体である。記録媒体２１０は、半導体メモリや磁気ディスク等から構成される記録部２１２、撮像装置１００とのインタフェース２１４、撮像装置１００と接続を行うコネクタ２１６を備えている。
【００５２】
本実施形態では、インタフェース９０及び９４や通信部１１０とＰＣ等の外部制御機器との間の通信はＰＴＰ（PictureTransferProtocol）で定めたれたフォーマットに従っており、ストレージ機能制御部６６によって制御される。よって、ＰＴＰで扱うディレクトリやファイルを以降オブジェクトと呼ぶ。
【００５３】
図２は、本実施形態における撮像装置において、記録媒体２００或いは２１０内に構成されているディレクトリ・ファイル構造を示す図である。
【００５４】
図３は、ＰＣ（パーソナルコンピュータ）から記録媒体２００或いは２１０内のオブジェクトリスト取得までの従来のシーケンスを説明するフローチャートである。
【００５５】
ステップＳ３０１では、インタフェース９０及び９４や通信部１１０を通して、ＰＣからのオブジェクトリスト転送要求が受信される。オブジェクトリスト転送要求には、ディレクトリの指定やファイルタイプ等の要求条件等が含まれる。
【００５６】
ステップＳ３０２では、ＰＣからの要求条件に応じたオブジェクトリスト生成処理が指示され、生成されたオブジェクトリストがメモリ３０に一時保存される。オブジェクトリスト生成処理の詳細については、図４を参照して後述する。
【００５７】
ステップＳ３０３では、メモリ３０に一時保存されたオブジェクトリストが、インタフェース９０及び９４や通信部１１０を通してＰＣに転送される。
【００５８】
図４は、従来のオブジェクトリスト生成処理の詳細を説明するフローチャートである。
【００５９】
ステップＳ４０１では、ＰＣからのオブジェクトリスト転送要求により指定されたディレクトリ以下の全てのディレクトリエントリ（ディレクトリ及びファイル）に対して、以下のステップＳ４０２からステップＳ４０４が繰り返される。
【００６０】
ステップＳ４０２では、ディレクトリエントリがＰＣからのオブジェクトリスト転送要求により指定された要求条件に該当するか否かが判定される。該当する場合はステップＳ４０３に進み、該当しない場合はステップＳ４０５に進む。
【００６１】
ステップＳ４０３では、要求条件に該当したディレクトリエントリに対応するオブジェクトハンドルが生成される。オブジェクトハンドルは、通常記録媒体内の全オブジェクトに対して一意に決まる値である必要があるが、その生成方法は撮像装置に任される。
【００６２】
ステップＳ４０４では、ステップＳ４０３で生成したオブジェクトハンドルがオブジェクトリストに追加され、メモリ３０に一時保存される。
【００６３】
図５は、ＰＣからルートディレクトリ以下の全てのオブジェクトリストを要求された場合の、従来のオブジェクトリストを示す。このオブジェクトリストがＰＣに転送されることにより、ＰＣ上では、図２に示される記録媒体２００或いは２１０内に構成されているものと同じディレクトリ・ファイル構造が表示される。
【００６４】
図６は、ＰＣから指定されたオブジェクトのオブジェクト情報取得までの従来のシーケンスを説明するフローチャートである。
【００６５】
ステップＳ６０１では、インタフェース９０及び９４や通信部１１０を通して、ＰＣからのオブジェクト情報要求が受信される。オブジェクト情報要求は、前述の図５にて説明したオブジェクトリストの中の任意のオブジェクトハンドルが指定される。
【００６６】
ステップＳ６０２では、指定されたオブジェクトハンドルに該当するオブジェクト情報が生成され、メモリ３０に一時保存される。オブジェクト情報は、オブジェクトハンドルや名前、属性などから構成される。
【００６７】
ステップＳ６０３では、メモリ３０に一時保存されたオブジェクト情報が、インタフェース９０及び９４や通信部１１０を通してＰＣに転送される。
【００６８】
図７は、ＰＣから指定されたオブジェクトのサムネイル取得までの従来のシーケンスを説明するフローチャートである。
【００６９】
ステップＳ７０１では、インタフェース９０及び９４や通信部１１０を通して、ＰＣからのオブジェクトサムネイル取得要求が受信される。オブジェクトサムネイル取得要求は、前述の図５にて説明したオブジェクトリストの中の任意のオブジェクトハンドルが指定される。
【００７０】
ステップＳ７０２では、指定されたオブジェクトハンドルに該当するオブジェクトのサムネイルが記録媒体２００或いは２１０内から読み込まれ、メモリ３０に一時保存される。
【００７１】
ステップＳ７０３では、メモリ３０に一時保存されたオブジェクトサムネイルがインタフェース９０及び９４や通信部１１０を通してＰＣに転送される。
【００７２】
図８は、ＰＣから指定されたオブジェクトの取得までの従来のシーケンスを説明するフローチャートである。
【００７３】
ステップＳ８０１では、インタフェース９０及び９４や通信部１１０を通して、ＰＣからのオブジェクト取得要求が受信される。オブジェクト取得要求は、前述の図５にて説明したオブジェクトリストの中の任意のオブジェクトハンドルが指定される。
【００７４】
ステップＳ８０２では、指定されたオブジェクトハンドルに該当するオブジェクトが記録媒体２００或いは２１０内から読み込まれ、メモリ３０に一時保存される。
【００７５】
ステップＳ８０３では、メモリ３０に一時保存されたオブジェクトが、インタフェース９０及び９４や通信部１１０を通してＰＣに転送される。
【００７６】
以下、本発明の一実施形態の撮像装置における動作について説明する。
【００７７】
記録媒体２００或いは２１０内に構成されているディレクトリ・ファイル構造は、前述の図２で示されるものとする。また、記録媒体２００或いは２１０に実在するＲＡＷ画像ファイル（拡張子CR2を持つファイル）に対し、実在しないＪＰＥＧ画像ファイル（拡張子JPGを持つファイル）を仮想ファイルとして扱うものとする。そして、仮想ファイル（ＪＰＥＧ画像ファイル）は対応する実在ファイル（ＲＡＷ画像ファイル）から生成可能とする。
【００７８】
図９は、ＰＣから記録媒体２００或いは２１０内のオブジェクトリスト取得までの、本実施形態におけるシーケンスを説明するフローチャートである。
【００７９】
ステップＳ９０１では、インタフェース９０及び９４や通信部１１０を通して、ＰＣからのオブジェクトリスト転送要求が受信される。オブジェクトリスト転送要求には、ディレクトリの指定やファイルタイプ等の要求条件等が含まれる。
【００８０】
ステップＳ９０２では、ＰＣからの要求条件に応じたオブジェクトリスト生成処理が指示され、生成されたオブジェクトリストがメモリ３０に一時保存される。オブジェクトリスト生成処理の詳細については図４、メモリ３０に一時保存されたオブジェクトリストについては図５にて説明済みのため省略する。
【００８１】
ステップＳ９０３では、仮想ファイル制御部６８により、ＰＣからの要求条件に応じた仮想オブジェクトリスト追加処理が指示され、追加されるべき仮想オブジェクトリストがメモリ３０に一時保存される。仮想オブジェクトリスト追加処理の詳細については、図１０を参照して後述する。
【００８２】
ステップＳ９０４では、メモリ３０に一時保存されたオブジェクトリストが、インタフェース９０及び９４や通信部１１０を通してＰＣに転送される。
【００８３】
図１０は、仮想オブジェクトリスト追加処理の詳細を説明するフローチャートである。
【００８４】
ステップＳ１００１では、前述のステップＳ９０２にて生成されたオブジェクトリストに含まれる全てのＲＡＷ画像ファイルに対して、後述のステップＳ１００２からステップＳ１００４が繰り返される。
【００８５】
ステップＳ１００２では、ＲＡＷ画像ファイルに対応するＪＰＥＧ画像ファイルのオブジェクトハンドルを生成する。本実施形態での生成方法は、４バイトのオブジェクトハンドルの下位４ビットがファイルタイプ（ＲＡＷ画像かＪＰＥＧ画像か等）を表すものとする。そして、IMG_0001.CR2という実在するＲＡＷ画像ファイルのオブジェクトハンドル0x11000011から、下位４ビットのみ置換して、IMG_0001.JPGという仮想のＪＰＥＧ画像ファイルのオブジェクトハンドル0x11000012を生成する。本実施形態では、前述のように仮想のＪＰＥＧ画像ファイルのオブジェクトハンドルと実在するＲＡＷ画像ファイルのオブジェクトハンドルに相関関係を持たせており、片方のオブジェクトハンドルから他方のオブジェクトハンドルが導き出せる。
【００８６】
ステップＳ１００３では、前述のステップＳ９０２にてメモリ３０に一時保存されたオブジェクトリストに、ステップＳ１００２にて生成したオブジェクトハンドルが追加され、メモリ３０に一時保存される。
【００８７】
図１１は、本実施形態の撮像装置において、ＰＣからルートディレクトリ以下の全てのオブジェクトリストを要求された場合の、本実施形態におけるオブジェクトリストを示す図である。
【００８８】
図１２は、図１１に示すオブジェクトリストをＰＣに転送した場合の、ＰＣ上で表示されるディレクトリ・ファイル構造を示す図である。
【００８９】
ＰＣ上では、図２に示される記録媒体２００或いは２１０内に構成されているディレクトリ・ファイル構造に対し、仮想ファイル（IMG_0001.JPG, IMG_0002.JPG, IMG_0003.JPG）が追加されて表示される。
【００９０】
図１３は、ＰＣから指定されたオブジェクトのオブジェクト情報取得までの本実施形態におけるシーケンスを説明するフローチャートである。
【００９１】
ステップＳ１３０１では、インタフェース９０及び９４や通信部１１０を通して、ＰＣからのオブジェクト情報要求が受信される。オブジェクト情報要求は、図１１にて説明したオブジェクトリストの中の任意のオブジェクトハンドルが指定される。
【００９２】
ステップＳ１３０２では、指定されたオブジェクトハンドルが記録媒体２００或いは２１０内に実在するオブジェクト（ＲＡＷ画像ファイル）のハンドルか、仮想のオブジェクト（ＪＰＥＧ画像ファイル）のハンドルかが判定される。記録媒体２００或いは２１０内に実在するオブジェクトの場合はステップＳ１３０３に進み、仮想オブジェクトの場合はステップＳ１３０４に進む。
【００９３】
ステップＳ１３０３では、指定されたオブジェクトハンドルに該当するオブジェクト情報が生成され、メモリ３０に一時保存される。オブジェクト情報は、オブジェクトハンドルや名前、属性などから構成される。
【００９４】
ステップＳ１３０４では、仮想ファイル制御部６８により、指定された仮想オブジェクトハンドルから対応するＲＡＷ画像ファイルのオブジェクトハンドルが導き出される。例えば、IMG_0001.JPGという仮想のＪＰＥＧ画像ファイルのオブジェクトハンドル0x11000012から、下位４ビットのみ置換して、IMG_0001.CR2という実在するＲＡＷ画像ファイルのオブジェクトハンドル0x11000011が生成される。
【００９５】
ステップＳ１３０５では、仮想ファイル制御部６８により、ステップＳ１３０４にて生成されたＲＡＷ画像ファイルのオブジェクトハンドルからオブジェクト情報が生成される。そして、ファイル名などを置換してＪＰＥＧ画像ファイルの仮想オブジェクト情報が生成されて、メモリ３０に一時保存される。
【００９６】
ステップＳ１３０６では、メモリ３０に一時保存されたオブジェクト情報が、インタフェース９０及び９４や通信部１１０を通してＰＣに転送される。
【００９７】
図１４は、ＰＣから指定されたオブジェクトのサムネイル取得までの本実施形態におけるシーケンスを説明するフローチャートである。
【００９８】
本実施形態では、仮想ファイル（ＪＰＥＧ画像ファイル）のサムネイルは、対応する実在ファイル（ＲＡＷ画像ファイル）のサムネイルと同一であるものとする。そして、仮想ファイル（ＪＰＥＧ画像ファイル）のサムネイル取得要求に対して、実在ファイル（ＲＡＷ画像ファイル）のサムネイルを転送する場合について説明する。
【００９９】
ステップＳ１４０１では、インタフェース９０及び９４や通信部１１０を通して、ＰＣからのオブジェクトサムネイル取得要求が受信される。オブジェクトサムネイル取得要求は、図１１にて説明したオブジェクトリストの中の任意のオブジェクトハンドルが指定される。
【０１００】
ステップＳ１４０２では、指定されたオブジェクトハンドルが記録媒体２００或いは２１０内に実在するオブジェクト（ＲＡＷ画像ファイル）のハンドルか、仮想のオブジェクト（ＪＰＥＧ画像ファイル）のハンドルか判定される。記録媒体２００或いは２１０内に実在するオブジェクトの場合はステップＳ１４０３に進み、仮想オブジェクトの場合はステップＳ１４０４に進む。
【０１０１】
ステップＳ１４０３では、指定されたオブジェクトハンドルに該当するオブジェクトのサムネイルが記録媒体２００或いは２１０内から読み込まれ、メモリ３０に一時保存される。
【０１０２】
ステップＳ１４０４では、仮想ファイル制御部６８により、指定された仮想オブジェクトハンドルから対応するＲＡＷ画像ファイルのオブジェクトハンドルが導き出される。例えば、IMG_0001.JPGという仮想のＪＰＥＧ画像ファイルのオブジェクトハンドル0x11000012から、下位４ビットのみ置換して、IMG_0001.CR2という実在するＲＡＷ画像ファイルのオブジェクトハンドル0x11000011が生成される。
【０１０３】
ステップＳ１４０５では、仮想ファイル制御部６８により、ステップＳ１４０４にて生成したオブジェクトハンドルに該当するオブジェクト（ＲＡＷ画像ファイル）のサムネイルが記録媒体２００或いは２１０内から読み込まれ、メモリ３０に一時保存される。
【０１０４】
ステップＳ１４０６では、メモリ３０に一時保存されたオブジェクトのサムネイルがインタフェース９０及び９４や通信部１１０を通してＰＣに転送される。
【０１０５】
図１５は、ＰＣから指定されたオブジェクトの取得までの本実施形態におけるシーケンスを説明するフローチャートである。
【０１０６】
ステップＳ１５０１では、インタフェース９０及び９４や通信部１１０を通して、ＰＣからのオブジェクト取得要求が受信される。オブジェクト取得要求は、図１１にて説明したオブジェクトリストの中の任意のオブジェクトハンドルが指定される。
【０１０７】
ステップＳ１５０２では、指定されたオブジェクトハンドルが記録媒体２００或いは２１０内に実在するオブジェクト（ＲＡＷ画像ファイル）のハンドルか、仮想のオブジェクト（ＪＰＥＧ画像ファイル）のハンドルか判定される。記録媒体２００或いは２１０内に実在するオブジェクトの場合はステップＳ１５０３に進み、仮想オブジェクトの場合はステップＳ１５０４に進む。
【０１０８】
ステップＳ１５０３では、指定されたオブジェクトハンドルに該当するオブジェクトが記録媒体２００或いは２１０内から読み込まれ、メモリ３０に一時保存される。
【０１０９】
ステップＳ１５０４では、仮想ファイル制御部６８により、指定された仮想オブジェクトハンドルに該当するオブジェクトが生成され、メモリ３０に一時保存される。ここで、仮想オブジェクトハンドルに該当するオブジェクトを生成するとは、仮想オブジェクトハンドルに対応する実在するＲＡＷ画像ファイルを撮像装置内の画像処理回路２０などを用いて現像し、ＪＰＥＧ画像ファイルを生成することを意味する。オブジェクトの生成処理の詳細については、図１６を参照して後述する。
【０１１０】
ステップＳ１５０５では、メモリ３０に一時保存されたオブジェクトが、インタフェース９０及び９４や通信部１１０を通してＰＣに転送される。
【０１１１】
図１６は、仮想オブジェクトハンドルに該当するオブジェクトの生成処理の詳細を説明するフローチャートである。
【０１１２】
ステップＳ１６０１では、指定された仮想オブジェクトハンドルから対応するＲＡＷ画像ファイルのオブジェクトハンドルが導き出される。例えば、IMG_0001.JPGという仮想のＪＰＥＧ画像ファイルのオブジェクトハンドル0x11000012から、下位４ビットのみ置換して、IMG_0001.CR2という実在するＲＡＷ画像ファイルのオブジェクトハンドル0x11000011が生成される。
【０１１３】
ステップＳ１６０２では、ステップＳ１６０１にて生成したオブジェクトハンドルに該当するオブジェクト（ＲＡＷ画像ファイル）が記録媒体２００或いは２１０内から読み込まれ、メモリ３０に一時保存される。
【０１１４】
ステップＳ１６０３では、ステップＳ１６０２にてメモリ３０に一時保存されたオブジェクト（ＲＡＷ画像ファイル）を読み出し、圧縮・伸長回路３２で伸長を行い、メモリ３０に一時保存する。
【０１１５】
ステップＳ１６０４では、ステップＳ１６０３にてメモリ３０に一時保存されたＲＡＷ画像ファイルを読み出し、画像処理回路２０やメモリ制御回路２２での演算を用いた現像処理、圧縮・伸長回路３２を用いた圧縮処理を行い、生成されたＪＰＥＧ画像ファイルをメモリ３０に一時保存する。この場合、現像処理に用いられる現像パラメータは、ＲＡＷ画像ファイル内に記録されている情報を使用する場合や、不揮発性メモリ５６や記録媒体２００或いは２１０内に記録されている情報を使用する場合がある。
【０１１６】
以上説明したように、上記の実施形態によれば、外部のＰＣに特別なアプリケーションのインストールを必要とせずに、実在しないファイル（本実施形態ではＪＰＥＧ画像ファイル）を実在するＲＡＷ画像ファイルから生成しＰＣに転送することが可能となる。加えて、ＪＰＥＧ画像ファイルのサムネイルを実在するＲＡＷ画像ファイルから読み出すことによって、高速にＰＣに転送することが可能となる。
【０１１７】
また、本実施形態では、仮想ファイル（ＪＰＥＧ画像ファイル）のサムネイル取得要求に対して、実在ファイル（ＲＡＷ画像ファイル）のサムネイルを転送する場合について説明した。しかし、オブジェクト取得要求と同様に、ＲＡＷ画像ファイルから現像処理を行ってサムネイルを生成し、転送しても良い。
【０１１８】
また、本実施形態では、一つのＲＡＷ画像ファイルから一つのＪＰＥＧ画像ファイルを生成する場合について説明した。しかし、ブラケット撮影などのように、一つのＲＡＷ画像ファイルから複数のＪＰＥＧ画像ファイルを生成するようにしてもよい。
【０１１９】
（他の実施形態）
また、各実施形態の目的は、次のような方法によっても達成される。すなわち、前述した実施形態の機能を実現するソフトウェアのプログラムコードを記録した記憶媒体（または記録媒体）を、システムあるいは装置に供給する。そして、そのシステムあるいは装置のコンピュータ（またはＣＰＵやＭＰＵ）が記憶媒体に格納されたプログラムコードを読み出し実行する。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、本発明には次のような場合も含まれる。すなわち、プログラムコードの指示に基づき、コンピュータ上で稼働しているオペレーティングシステム（ＯＳ）などが実際の処理の一部または全部を行い、その処理によって前述した実施形態の機能が実現される。
【０１２０】
さらに、次のような場合も本発明に含まれる。すなわち、記憶媒体から読み出されたプログラムコードが、コンピュータに挿入された機能拡張カードやコンピュータに接続された機能拡張ユニットに備わるメモリに書込まれる。その後、そのプログラムコードの指示に基づき、その機能拡張カードや機能拡張ユニットに備わるＣＰＵなどが実際の処理の一部または全部を行い、その処理によって前述した実施形態の機能が実現される。
【０１２１】
本発明を上記記憶媒体に適用する場合、その記憶媒体には、先に説明した手順に対応するプログラムコードが格納されることになる。
【図面の簡単な説明】
【０１２２】
【図１】本発明の一実施形態に係わる撮像装置の構成を示すブロック図である。
【図２】記録媒体２００或いは２１０内に構成されているディレクトリ・ファイル構造を示す図である。
【図３】オブジェクトリスト取得までの従来のシーケンスを説明するフローチャートである。
【図４】従来のオブジェクトリスト生成処理の詳細を説明するフローチャートである。
【図５】ルートディレクトリ以下の全てのオブジェクトリストを要求された場合の従来のオブジェクトリストを示す図である。
【図６】オブジェクト情報取得までの従来のシーケンスを説明するフローチャートである。
【図７】オブジェクトサムネイル取得までの従来のシーケンスを説明するフローチャートである。
【図８】オブジェクト取得までの従来のシーケンスを説明するフローチャートである。
【図９】本発明の一実施形態における仮想オブジェクトを含めたオブジェクトリスト取得までのシーケンスを説明するフローチャートである。
【図１０】本発明の一実施形態における仮想オブジェクトリスト追加処理の詳細を説明するフローチャートである。
【図１１】本発明の一実施形態におけるルートディレクトリ以下の全てのオブジェクトリストを要求された場合の仮想オブジェクトを含めたオブジェクトリストを示す図である。
【図１２】本発明の一実施形態における仮想オブジェクトを含めたオブジェクトリストを転送した場合のＰＣ上で表示されるディレクトリ・ファイル構造を示す図である。
【図１３】本発明の一実施形態における仮想オブジェクトを含めたオブジェクト情報取得までのシーケンスを説明するフローチャートである。
【図１４】本発明の一実施形態における仮想オブジェクトを含めたオブジェクトサムネイル取得までのシーケンスを説明するフローチャートである。
【図１５】本発明の一実施形態における仮想オブジェクトを含めたオブジェクトの取得までのシーケンスを説明するフローチャートである。
【図１６】本発明の一実施形態における仮想オブジェクトハンドルに該当するオブジェクト生成処理の詳細を説明するフローチャートである。
【図１】
2009260744.tif 000003
【図２】
2009260744.tif 000004
【図３】
2009260744.tif 000005
【図４】
2009260744.tif 000006
【図５】
2009260744.tif 000007
【図６】
2009260744.tif 000008
【図７】
2009260744.tif 000009
【図８】
2009260744.tif 000010
【図９】
2009260744.tif 000011
【図１０】
2009260744.tif 000012
【図１１】
2009260744.tif 000013
【図１２】
2009260744.tif 000014
【図１３】
2009260744.tif 000015
【図１４】
2009260744.tif 000016
【図１５】
2009260744.tif 000017
【図１６】
2009260744.tif 000018